【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
ロータの回転駆動により減速歯車輪列を介して複数の暦表示車を回転させると共に、この暦表示車或いは暦表示車と連動して回転する歯車からなる複数の検出車の回転位置を検出することによって、各暦表示車によって表示されている暦を検出する暦表示機能付電子時計において、
前記複数の検出車のうち、前記ロータに対する減速比が小さい検出車には、その回転位置を非接触で検出する非接触検出手段を設けると共に、前記ロータに対する減速比が大きな検出車には、その回転位置を機械的な接触により検出する接触検出手段を設け、
前記非接触検出手段及び接触検出手段の検出結果に基づいて、前記各暦表示車によって表示されている暦を検出することを特徴とする暦表示機能付電子時計。
【請求項２】
前記ロータを回転駆動して前記減速歯車輪列により複数の暦表示車を回転させるアクチュエータを設けると共に、前記複数の検出車のうちの一つの検出車には、当該検出車が前記複数の暦表示車で表示される暦を１日分送る送り量だけ回転したときの各回転位置を機械的な接触により検出するロータ回転量検出用の接触検出手段を設け、
前記アクチュエータを駆動している場合、前記ロータ回転量検出用の接触検出手段により前記ロータの回転量が１日分の送り量に達したか否かを検出することを特徴とする請求項１に記載の暦表示機能付電子時計。
【請求項３】
前記接触検出手段は、
前記検出車に設けられるばね接点と、
前記検出車の回転に応じて前記ばね接点を介して導通する導通部材とであり、
前記非接触検出手段は、前記検出車に設けられた光検出用パターン或いは磁気検出用パターンを、光検出或いは磁気検出で読みとる手段であることを特徴とする請求項１又は２に記載の暦表示機能付電子時計。
【請求項４】
前記複数の暦表示車は、日を表示する日車を有し、
前記非接触検出手段は、前記日車の回転位置を検出することによって、表示される「日」が「３１日」、「３０日」、「２９日」、「１〜２８日」のいずれの検出パターンに該当するかを検出することを特徴とする請求項１乃至３のいずれか一項に記載の暦表示機能付電子時計。
【請求項５】
前記複数の暦表示車は、「日」の１０位を表示する１０位表示体と、「日」の１位を表示する１位表示体とを有し、前記１０位表示体の回転位置を検出することによって、表示される「１０位の日」が「００or１０」、「２０」、「３０」のいずれの検出パターンに該当するかを検出し、
前記１位表示体の回転位置を検出することによって、表示される「１位の日」が「２〜８」、「９」、「０」、「１」のいずれの検出パターンに該当するかを検出することを特徴とする請求項１乃至３のいずれか一項に記載の暦表示機能付電子時計。
【請求項６】
前記複数の暦表示車は、前記日車よりも大きな減速比で駆動される月を表示する月車を有し、
前記接触検出手段は、前記月車の回転位置を検出することによって、表示される「月」が「大の月」、「２月を除く小の月」、「「２月」のいずれの検出パターンに該当するかを検出することを特徴とする請求項４または５に記載の暦表示機能付電子時計。
【請求項７】
前記複数の暦表示車は、前記月車によって駆動される年を表示する年車を有し、
前記接触検出手段は、さらに、年車の回転位置を検出することによって、表示される「年」が「閏年」か「平年」のいずれの検出パターンに該当するかを検出することを特徴とする請求項６に記載の暦表示機能付電子時計。
【請求項８】
ロータの回転駆動により減速歯車輪列を介して複数の暦表示車を回転させると共に、この暦表示車或いは暦表示車と連動して回転する歯車からなる複数の検出車の回転位置を検出することによって、各暦表示車によって表示されている暦を検出する暦表示機能付電子時計の制御方法において、
前記複数の検出車のうち、前記ロータに対する減速比が小さい検出車に設けられてその回転位置を非接触で検出する非接触検出手段の検出結果を取得すると共に、
前記複数の検出車のうち、前記ロータに対する減速比が大きな検出車に設けられてその回転位置を機械的な接触により検出する接触検出手段の検出結果を取得し、
前記非接触検出手段及び接触検出手段の検出結果に基づいて、前記各暦表示車によって表示されている暦を検出することを特徴とする暦表示機能付電子時計の制御方法。
【請求項９】
前記ロータを回転駆動して前記減速歯車輪列により複数の暦表示車を回転させるアクチュエータを駆動している場合、前記複数の検出車のうちの一つの検出車に設けられて、当該検出車が前記複数の暦表示車で表示される暦を１日分送る送り量だけ回転したときの各回転位置を機械的な接触により検出するロータ回転量検出用の接触検出手段により、前記ロータの回転量が１日分の送り量に達したか否かを検出することを特徴とする請求項８に記載の暦表示機能付電子時計の制御方法。
【手続補正２】
【補正対象書類名】明細書
【補正対象項目名】０００５
【補正方法】変更
【補正の内容】
【０００５】
上記課題を解決するため、本発明は、ロータの回転駆動により減速歯車輪列を介して複数の暦表示車を回転させると共に、この暦表示車或いは暦表示車と連動して回転する歯車からなる複数の検出車の回転位置を検出することによって、各暦表示車によって表示されている暦を検出する暦表示機能付電子時計において、前記複数の検出車のうち、前記ロータに対する減速比が小さい検出車には、その回転位置を非接触で検出する非接触検出手段を設けると共に、前記ロータに対する減速比が大きな検出車には、その回転位置を機械的な接触により検出する接触検出手段を設け、前記非接触検出手段及び接触検出手段の検出結果に基づいて、前記各暦表示車によって表示されている暦を検出することを特徴とする。この構成によれば、ロータに対する減速比が小さい検出車には、その回転位置を非接触で検出する非接触検出手段を設けると共に、ロータに対する減速比が大きな検出車には、その回転位置を機械的な接触により検出する接触検出手段を設け、これら非接触検出手段と接触検出手段の検出結果に基づいて表示されている暦を検出するので、これら検出手段から構成される暦検出用センサの耐久性と、暦検出機構への接触検出手段による負荷トルクの低減と、消費電力の低減とを図ることができる。
【手続補正３】
【補正対象書類名】明細書
【補正対象項目名】０００６
【補正方法】変更
【補正の内容】
【０００６】
この構成において、前記ロータを回転駆動して前記減速歯車輪列により複数の暦表示車を回転させるアクチュエータを設けると共に、前記複数の検出車のうちの一つの検出車には、当該検出車が前記複数の暦表示車で表示される暦を１日分送る送り量だけ回転したときの各回転位置を機械的な接触により検出するロータ回転量検出用の接触検出手段を設け、前記アクチュエータを駆動している場合、前記ロータ回転量検出用の接触検出手段により前記ロータの回転量が１日分の送り量に達したか否かを検出することが好ましい。この構成によれば、接触検出手段によりロータの回転量を検出するので、アクチュエータの駆動とロータの送り量検出とを同時に行う場合の消費電流を低減することができる。
【手続補正４】
【補正対象書類名】明細書
【補正対象項目名】０００７
【補正方法】変更
【補正の内容】
【０００７】
この構成において、前記接触検出手段は、前記検出車に設けられるばね接点と、前記検出車の回転に応じて前記ばね接点を介して導通する導通部材とであり、前記非接触検出手段は、前記検出車に設けられた光検出用パターン或いは磁気検出用パターンを、光検出或いは磁気検出で読みとる手段であることが好ましい。また、前記複数の暦表示車は、日を表示する日車を有し、前記非接触検出手段は、前記日車の回転位置を検出することによって、表示される「日」が「３１日」、「３０日」、「２９日」、「１〜２８日」のいずれの検出パターンに該当するかを検出することが好ましい。
【手続補正５】
【補正対象書類名】明細書
【補正対象項目名】０００８
【補正方法】変更
【補正の内容】
【０００８】
この構成において、前記複数の暦表示車は、「日」の１０位を表示する１０位表示体と、「日」の１位を表示する１位表示体とを有し、前記１０位表示体の回転位置を検出することによって、表示される「１０位の日」が「００or１０」、「２０」、「３０」のいずれの検出パターンに該当するかを検出し、前記１位表示体の回転位置を検出することによって、表示される「１位の日」が「２〜８」、「９」、「０」、「１」のいずれの検出パターンに該当するかを検出することが好ましい。また、前記複数の暦表示車は、前記日車よりも大きな減速比で駆動される月を表示する月車を有し、前記接触検出手段は、前記月車の回転位置を検出することによって、表示される「月」が「大の月」、「２月を除く小の月」、「「２月」のいずれの検出パターンに該当するかを検出することが好ましい。また、前記複数の暦表示車は、前記月車によって駆動される年を表示する年車を有し、前記接触検出手段は、さらに、年車の回転位置を検出することによって、表示される「年」が「閏年」か「平年」のいずれの検出パターンに該当するかを検出することが好ましい。
【手続補正６】
【補正対象書類名】明細書
【補正対象項目名】０００９
【補正方法】変更
【補正の内容】
【０００９】
また、本発明は、ロータの回転駆動により減速歯車輪列を介して複数の暦表示車を回転させると共に、この暦表示車或いは暦表示車と連動して回転する歯車からなる複数の検出車の回転位置を検出することによって、各暦表示車によって表示されている暦を検出する暦表示機能付電子時計の制御方法において、前記複数の検出車のうち、前記ロータに対する減速比が小さい検出車に設けられてその回転位置を非接触で検出する非接触検出手段の検出結果を取得すると共に、前記複数の検出車のうち、前記ロータに対する減速比が大きな検出車に設けられてその回転位置を機械的な接触により検出する接触検出手段の検出結果を取得し、前記非接触検出手段及び接触検出手段の検出結果に基づいて、前記各暦表示車によって表示されている暦を検出することを特徴とする。この構成によれば、ロータに対する減速比が小さい検出車に設けられた非接触検出手段の検出結果と、ロータに対する減速比が大きな検出車に設けられた接触検出手段の検出結果とに基づいて表示されている暦を検出するので、これら検出手段から構成される暦検出用センサの耐久性と、暦検出機構への接触検出手段による負荷トルクの低減と、消費電力の低減とを図ることができる。
【手続補正７】
【補正対象書類名】明細書
【補正対象項目名】００１０
【補正方法】変更
【補正の内容】
【００１０】
この構成において、前記ロータを回転駆動して前記減速歯車輪列により複数の暦表示車を回転させるアクチュエータを駆動している場合、前記複数の検出車のうちの一つの検出車に設けられて、当該検出車が前記複数の暦表示車で表示される暦を１日分送る送り量だけ回転したときの各回転位置を機械的な接触により検出するロータ回転量検出用の接触検出手段により、前記ロータの回転量が１日分の送り量に達したか否かを検出することが好ましい。この構成によれば、接触検出手段によりロータの回転量を検出するので、アクチュエータの駆動とロータの送り量検出とを同時に行う場合の消費電流を低減することができる。
【手続補正８】
【補正対象書類名】明細書
【補正対象項目名】００１１
【補正方法】変更
【補正の内容】
【００１１】
本発明は、ロータに対する減速比が小さい検出車には、その回転位置を非接触で検出する非接触検出手段を設けると共に、ロータに対する減速比が大きな検出車には、その回転位置を機械的な接触により検出する接触検出手段を設け、これら非接触検出手段と接触検出手段の検出結果に基づいて表示されている暦を検出するので、これら検出手段から構成される暦検出用センサの耐久性と、暦検出機構への接触検出手段による負荷トルクの低減と、消費電力の低減とを図ることができる。